(57)【要約】【課題】走行レールに壁側に向けた屈曲レール部分を必要とせず、取り付け作業が簡単で、引戸の閉鎖位置における壁面への十分な密着を確保することができる引戸装置を提供すること。【解決手段】出入り口に配置される引戸４と、引戸４上部の戸先側と戸尻側に取り付けられた走行車輪６、７を載置し、引戸４を吊り下げる走行用レール５とを備えた引戸装置１において、走行車輪６、７に引戸４を、引戸４閉鎖位置近傍から引戸４を室壁Ｗ側に旋回させる旋回機構８を介して取り付ける。【選択図】図１
2006274637.tif 000002
【特許請求の範囲】
【請求項１】
出入り口に配置される引戸と、引戸上部の戸先側と戸尻側に取り付けられた走行車輪を載置し、引戸を吊り下げる走行用レールとを備えた引戸装置において、走行車輪に引戸を、引戸閉鎖位置近傍から引戸を室壁側に旋回させる旋回機構を介して取り付けたことを特徴とする引戸装置。
【請求項２】
旋回機構を、略Ｌ字状のアームと、該アームの屈曲部と揺動可能に連結する走行車輪から延設した軸部と、アームの一端部に枢着した引戸上部から延設した軸部と、アームの他端部に配設した係止部材と、引戸枠部材に配設した前記係止部材が当接する係止体とから構成したことを特徴とする請求項１記載の引戸装置。
【発明の詳細な説明】
【技術分野】
【０００１】
本発明は、引戸装置に関し、特に出入り口に配置される引戸と、引戸上部の戸先側と戸尻側に取り付けられた走行車輪を載置し、引戸を吊り下げる走行用レールとを備えた引戸装置に関するものである。
【背景技術】
【０００２】
図６〜図１０に、本出願人が先に特願２００３−３４５５７５号として提案した引戸装置５０を示す。
この引戸装置５０は、室壁Ｗに取り付けられる引戸枠部材２と、該引戸枠部材２の一側に形成される戸袋３内に収納される引戸４と、この引戸４にコ字状の取付アーム４ｃ、４ｄを介して取り付けられる走行車輪５１、５２を吊り下げて移行を案内する走行用レール５３、５３とを備える。
【０００３】
走行用レール５３、５３は、前後の走行車輪５１、５２用に前後に２基備えるようにし、図１０に示すように、室壁Ｗと平行な平行レール部分５３ａと、室壁Ｗ側に所定の角度θ向けて屈曲させた屈曲レール部分５３ｂとからなり、それぞれの傾斜角度β、γを、例えば、１／１００（０．６°）程度に設定するようにしている。
両走行用レール５３、５３は、引戸４の戸先側が下、戸尻側が上となるようにして傾斜させているので、引戸４は自重力で付勢されて走行用レール５３上を閉じ側に走行する。
引戸４は、走行車輪５１、５２が両屈曲レール部分５３ｂ、５３ｂを走行し、引戸４に閉じ動作と室壁Ｗ側への押付動作が付与される。
図１０（ｄ）は、屈曲レール部分５３ｂの傾斜度を壁平行レール部分５３ａより緩くした例を示している。
図１０（ｄ）に示す場合には、引戸４を自重によって室壁Ｗに押し付ける力が、図１０（ｃ）に示す場合よりも小さくなるものの、閉鎖位置の引戸４を静姿勢から動姿勢に開方向作動させる初期開放作動力を一層少なくすることができる。
【０００４】
屈曲レール部分５３ｂは、吊下した引戸４が閉鎖状態のときに引戸４が引戸枠部材２に配備した気密材９（図８〜図９参照）に密着される位置まで走行車輪５１、５２を室壁Ｗ側に移行させる長さＬと角度θをもって構成する。
【０００５】
走行車輪５１、５２（以下、代表して走行車輪５１について説明する。）は、車輪部５１ａと逆Ｌ字状のフランジ５１ｂからなり、引戸４に取り付けるコ字状の取付アーム４ｃ、４ｄとの間に回動機構１２を配備し、走行車輪５１が平行レール部分５３ａから屈曲レール部分５３ｂに移行する際に、走行車輪５１の鍔部によってレールに沿って案内され、走行車輪５１が水平面内でフランジ５１ｂに配設された回動機構１２によって回動することによって引戸４の移行をスムーズに行うようにしている。
そして、閉鎖位置の引戸枠部材２の下方に配備する調整機構１０によって引戸４の下部戸先側の室壁Ｗ側への移行を補助するとともに、閉鎖位置における引戸４の下端部に定置されているローラ１５に、引戸４の下面に形成されているカム１６が当接することによって、引戸４の下部戸尻側の室壁Ｗ側への移行を補助し、閉鎖位置における引戸４を外側より気密材９に向けて押圧させることができる。
【０００６】
しかし、この引戸装置は、走行用レールの先端を壁Ｗ側に屈曲させる必要がありレール加工に手数を要するとともに、走行用レールを前後の走行車輪用に前後に２基備えるように構成するもので、それぞれの走行用レールの壁平行レール部分と屈曲レール部分が同期するように調整せねばならず、走行用レールを戸枠に取り付ける際の調整に手数を要するという問題があった。
【発明の開示】
【発明が解決しようとする課題】
【０００７】
本発明は、上記従来の引戸装置の有する問題点に鑑み、走行用レールに、室壁側に向けた屈曲レール部分を必要とせず、取り付け作業が簡単で、引戸の閉鎖位置における室壁面への十分な密着を確保することができる引戸装置を提供することを目的とする。
【課題を解決するための手段】
【０００８】
上記目的を達成するため、本発明の引戸装置は、出入り口に配置される引戸と、引戸上部の戸先側と戸尻側に取り付けられた走行車輪を載置し、引戸を吊り下げる走行用レールとを備えた引戸装置において、走行車輪に引戸を、引戸閉鎖位置近傍から引戸を室壁側に旋回させる旋回機構を介して取り付けたことを特徴とする。
【０００９】
この場合において、旋回機構を、略Ｌ字状のアームと、該アームの屈曲部と揺動可能に連結する走行車輪から延設した軸部と、アームの一端部に枢着した引戸上部から延設した軸部と、アームの他端部に配設した係止体と、引戸枠部材に配設した前記係止体が当接する係止部材とから構成することができる。
【発明の効果】
【００１０】
本発明の引戸装置によれば、走行用レールの形状は平面視直線状のものを使用することができ、その製作と取り付けが簡単である。また引戸は、引戸閉鎖位置近傍から旋回機構によって室壁側に旋回されるから、引戸の閉鎖位置において、走行用レールが室壁側に屈曲していなくても、引戸全体を室壁側に移行させることができる。
【００１１】
また、旋回機構を、略Ｌ字状のアームと、該アームの屈曲部と揺動可能に連結する走行車輪から延設した軸部と、アームの一端部に枢着した引戸上部から延設した軸部と、アームの他端部に配設した係止体と、引戸枠部材に配設した前記係止体が当接する係止部材とから構成するときは、旋回機構のアームの他端部に配設した係止体が、引戸枠部材に配設した係止部材に当接することによってその移行が阻止され、アームが、走行車輪から延設した軸部を中心に回動し、アームの一端部に連結された引戸が壁側へスムーズに移動できる。
【発明を実施するための最良の形態】
【００１２】
以下、本発明の引戸装置の実施の形態を、図面に基づいて説明する。
【実施例１】
【００１３】
図１〜図５に、本発明の引戸装置の一実施例を示す。なお、従来装置と同様の構造については同一の符号、一連の符号を付し説明を省略する。
この引戸装置１は、引戸枠部材２と、該引戸枠部材２の一側に形成される戸袋３内に収納される引戸４と、この引戸４を吊り下げて移行を案内する走行用レール５とを備える。
引戸４の上部前後には、走行車輪６、７を回動自在に配設したＬ字状の取付アーム４ａ、４ｂを、旋回機構８を介して取り付けるようにしている。
【００１４】
走行用レール５は、図１に示すように、１本のレールで、前後の走行車輪６、７を載置するように構成したもので、戸先側も先の提案例とは異なり、室壁Ｗ側に屈曲させることのない平面視直線状に構成する。
引戸４は、通常時、閉鎖側に位置するように走行用レール５を閉鎖側に傾斜して取り付けるものであるが、錘とワイヤーを用いたり、モータの駆動力を利用して、引戸を閉じ方向に移動させるようにしている場合には、走行用レール５は、水平に取り付けても構わない。
また、走行用レール５を水平に取り付けるときは、閉鎖位置で引戸４を偏位させるために、走行用レールを前後の走行車輪用に前後に２基備え、閉鎖位置近傍から端部までのみを下方に傾斜させた走行用レール５を利用しても構わない。
なお、いずれの場合も本発明の引戸装置１では走行用レール５を室壁Ｗ側に屈曲させる必要はない。
【００１５】
そして、本発明の引戸装置１は、走行車輪６、７を回動自在に配設したＬ字状の取付アーム４ａ、４ｂに引戸４を、引戸４の閉鎖位置近傍から引戸４を室壁Ｗ側に旋回させる旋回機構８を介して取り付けるようにしている。
【００１６】
この旋回機構８は、略Ｌ字状のアーム８０と、該アーム８０の屈曲部８０ａと揺動可能に連結する走行車輪６、７を配設したＬ字状の取付アーム４ａ、４ｂの下面から延設した軸部８２と、アーム８０の一端部に枢着した引戸４上部から延設した軸部８３と、アーム８０の他端部に配設した係止体８１と、引戸枠部材２に配設した前記係止体８１が当接する係止部材８４とから構成する。
軸部８２と軸部８３との位置関係は、旋回機構８が機能していないとき、換言すると、引戸４が、閉鎖位置から若干離れた位置から、開放位置までの開閉時においては、図３（ａ）に示すように、走行用レール５に対して直角方向に並ぶように配備する。これにより、旋回機構８が機能していないときの引戸４の開閉時に、室壁Ｗ側へ荷重が加わっても、旋回機構８が容易に旋回することはなく、引戸４が、室壁Ｗ側に移行することはない。
また、軸部８２からアーム８０が脱落しないように支持する押さえ板８２’は、突起部分８２ａを有する円板状部材からなり、図示のように、軸部８２とは相対回転しないように、偏心位置にピン８２ｂを嵌入し、かつ、ビス、ナット等の固着手段で、アーム８０の屈曲部分８０ａに嵌入した軸部８２を下面から固定する。
アーム８０の下面から突出するピン８０ｄは、突起部分８２ａに当接し、引戸４の室壁Ｗ側からの離反（図３（ａ）の状態から矢符Ｙの反対方向の旋回限度位置）を規制する。
また、図３（ｃ）に示すように、ねじりバネＳによって突起部分８２ａと、アーム８０の下面を連結し、引戸４の開閉時に、引戸４、アーム８０及び車輪６それぞれの相対姿勢を一定に維持する相対姿勢維持手段を付加することができる。
さらに、この相対姿勢維持手段は、図３（ｄ）及び（ｅ）に示すように、突起部分８２ａにボールストッパ挿入孔を形成し、ボール８２ｃを、アーム８０の下面に形成したくぼみ８０ｅに付勢するスプリング等の弾性体８２ｄを配設する構成としてもよい。
そして、アーム８０の他端部８０ｃには、引戸枠部材２に配設した係止部材８４に当接する係止体８１を揺動可能に配設する。
【００１７】
引戸枠部材２に配設した係止部材８４は、吸着部材として、例えば、磁石を表面に配備し、磁性材料からなる係止体８１を吸着させる。これにより、引戸４が閉鎖位置近傍まで閉じられたときに、係止体８１は、引戸枠部材２に配設した係止部材８４に当接し(図３（ａ）参照）、そこからさらに、引戸４を閉鎖方向に移行したとき、アーム屈曲部８０ａを中心にアーム８０が矢符Ｙ方向に旋回し、引戸４を室壁Ｗ側にＬだけ移行させる。
このとき、係止体８１は、係止部材８４の表面を室壁Ｗに対して垂直方向にＭだけ移動するが、係止部材８４に磁石を配備するときは、磁性面に対して垂直方向への移動には、磁力によって十分に吸着するものの、磁性面に対して平行な動きは大きな力を加えることなく移行することができるため、引戸４の移行に大きな負荷がかかることはない。
【００１８】
そして、引戸４を開放するときは、図３（ｂ）の閉鎖位置から図示右側に力を加えることとなるが、係止体８１と係止部材８４とが離反するには、磁性面に対して垂直方向の力に打ち勝つだけの負荷をかける必要があるため、引戸４の開放側の移行に伴って、係止体８１は、係止部材８４の表面を室壁Ｗに対して垂直方向に移行しつつ、アーム８０が矢符Ｙの反対方向に旋回し、引戸４をＬだけ室壁Ｗ側より離間させ、その後、係止体８１が係止部材８４から離れて引戸４を開放する。
【００１９】
次に、図４に示す係止体と係止部材の別の実施例を説明する。
この係止体８１と係止部材８４は、引戸４を開放位置から閉鎖する際に、係止体８１が係止部材８４に当接した後、係止体８１(アーム他端部８０ｃ）の室壁Ｗに対して垂直な移行運動（図３における距離Ｍ）を許容するためのもので、図４（ａ）に示す係止体８１は、ゴム環８１ｂ等によって周面を覆った軸部８１ａをバー８１ｃを介し、捩りバネなどを利用して、一定力以上の作用力を受けたとき揺動し、また、作用力が解除されたときに原状復帰するように、アーム他端部８０ｃに配設する。そして、係止部材８４は、前記軸部８１ａの嵌入を許容する嵌入口８４ｃと、嵌入口８４ｃの開口部に設けた軸部８１ａの抜けを一定の負荷が生じるまで防止する爪部８４ｄ、８４ｄからなる止め金８４ｂとし、係止体８１が係止部材８４に当接した後に、引戸４を閉鎖側へ移行する際に生じる係止体８１の室壁Ｗに対して垂直な移行は、図４（ａ）の一点鎖線に示すように許容されるようにする。
【００２０】
また、図４（ｂ）に示す係止体８１は、ゴム環８１ｂ等によって周面を覆った軸部８１ａをアーム他端部８０ｃに配設する。そして、係止部材８４は、前記軸部８１ａの嵌入を許容する嵌入口８４ｃと、嵌入口８４ｃの開口部に設けた軸部８１ａの抜けを一定の負荷が生じるまで防止する爪部８４ｄ、８４ｄからなる止め金８４ｂとし、引戸枠部材２に室壁Ｗに対して垂直方向に移動可能に配設する。
この際、通常は引戸４が、開放位置から閉鎖位置に向かうときに、係止体８１の軸部８１ａが、止め金８４ｂの嵌入口８４ｃに嵌入するようにゴムやバネなどの弾性部材８４ｅによって、止め金８４ｂを室壁Ｗ側に付勢しておくことが好ましい。
これにより、係止体８１が、係止部材８４に当接した後に、引戸４を閉鎖側へ移行する際に生じる、係止体８１の室壁Ｗに対して垂直な移行は、図４（ｂ）の一点鎖線に示すように許容される。
【００２１】
図４に示す爪部８４ｄ、８４ｄの突起量は、閉鎖位置から引戸４を開放位置に向けて動かす際に、アーム８０が、一点鎖線の位置から実線の位置に旋回するまで離反しない程度の負荷が係るように調整するものである。
【００２２】
次に、図５に、係止体８１を戸先側又は戸尻側の走行車輪６、７のいずれかの側にのみに配設（図例では戸先側走行車輪６）し、他方とは、リンク機構２０を介して、旋回機構８を旋回させるようにした実施例を示す。
これにより、戸先側にのみ旋回機構８を配設するときは、戸先側の走行車輪６に配設する旋回機構８（特に係止体８１）が、引戸４の開放時に戸尻側の引戸枠部材２に配設した係止部材８４と干渉することがなく、軸部８２、８３を、干渉を避けるために長くする必要がなくなる。
【００２３】
以上、本発明の引戸装置について、その実施例に基づいて説明したが、本発明は上記実施例に記載した構成に限定されるものではなく、その趣旨を逸脱しない範囲において適宜その構成を変更することができるものである。
【産業上の利用可能性】
【００２４】
本発明の引戸装置は、平面視直線状の走行用レールで、引戸の取り付け時における調整が容易にできるという特性を有していることから、新規の引戸装置に用いることができるほか、例えば、既設建造物の引戸装置の改造の用途にも用いることができる。
【図面の簡単な説明】
【００２５】
【図１】本発明の引戸装置の一実施例を示す一部切り欠きの正面図で、引戸を閉鎖位置に移動させた図である。
【図２】同引戸装置の旋回機構の要部を示す説明図で、（ａ）は一部切り欠きの正面図、（ｂ）は（ａ）のＸ−Ｘ断面矢視図である。
【図３】同引戸装置の旋回機構の動作を説明する平面図で、（ａ）は係止体が係止部材に当接したところを、（ｂ）は引戸が閉鎖位置まで移行したところを示し、（ｃ）、（ｄ）はアームの移行規制説明する一部断面図を、（ｅ）は、（ｄ）のａ−ａ断面図を示す。
【図４】本発明の引戸装置の係止体と係止部材の別の実施例を示す平面図で、（ａ）はアーム他端部から突出させたクランク軸で距離Ｍを吸収する例を、（ｂ）は係止部材を移動するようにして距離Ｍを吸収する例を示す。
【図５】本発明の引戸装置の旋回機構の別の実施例を示す一部切り欠きの平面図である。
【図６】本出願人が先に提案した引戸装置を示す一部切り欠きの正面図で、引戸を閉鎖位置に移動させた図である。
【図７】同引戸装置を示す一部切り欠きの正面図で、引戸を開放位置に移動させた図である。
【図８】同引戸装置の走行車輪の構造を示す側面図で、（ａ）は図６のＦ−Ｆ断面図を、（ｂ）は図７のＧ−Ｇ断面図を示す。
【図９】同引戸装置を示す一部切り欠きの平面図で、図６のＨ−Ｈ断面図を示す。
【図１０】同引戸装置の走行車輪の走行用レールの構成を示す説明図で、（ａ）は走行車輪の回動機構による走行車輪の回動を示す斜視図で、（ｂ）は走行用レールの屈曲部を示す平面図で、（ｃ）、（ｄ）は走行用レールの傾きを示す正面図である。
【符号の説明】
【００２６】
１    引戸装置
２    引戸枠部材
３    スライドレール
４    引戸
５    走行用レール
６    戸先側走行車輪
７    戸尻側走行車輪
８    旋回機構
８０  アーム
８０ａ  アーム屈曲部
８０ｂ  アーム一端部
８０ｃ  アーム他端部
８１  係止体
８４  係止部材
【図１】
2006274637.tif 000003
【図２】
2006274637.tif 000004
【図３】
2006274637.tif 000005
【図４】
2006274637.tif 000006
【図５】
2006274637.tif 000007
【図６】
2006274637.tif 000008
【図７】
2006274637.tif 000009
【図８】
2006274637.tif 000010
【図９】
2006274637.tif 000011
【図１０】
2006274637.tif 000012